(57)【特許請求の範囲】
【請求項１】
天板が脚支柱に支持されるものにおいて、天板の下方に幕板支持装置を取り付け、この幕板支持装置に一対の脚支柱の内法寸法よりも幅広な幕板を、天板の縁部近傍より下方に垂下する使用位置と天板の下面にほぼ重合する収納位置との間で位置変更可能に支持させるにあたり、前記幕板を使用位置で前記一対の脚支柱の対向間隙よりも下肢空間側に位置づけるようにしたことを特徴とするテーブル。
【請求項２】
天板が脚支柱に支持されるものにおいて、天板の下方に幕板支持装置を取り付け、この幕板支持装置に幕板を、天板の縁部近傍より下方に垂下する使用位置と天板の下面にほぼ重合する収納位置との間で位置変更可能に支持させるにあたり、前記幕板のうち一対の脚支柱の内法寸法よりも幅狭な本体部を、使用位置でそれらの脚支柱の対向間隙に位置づけて支持し、前記本体部の外側に連続する縁部を、それらの脚支柱の外方または内方に回り込んだ部位に位置づけるようにしたことを特徴とするテーブル。
【請求項３】
縁部が本体部に対して弾性変形可能に構成され、幕板が使用位置に移動する際に弾性変形しながら脚支柱に密着する請求項２記載のテーブル。
【請求項４】
天板の下方に幕板支持装置を取り付け、この幕板支持装置に幕板を、天板の縁部近傍より下方に垂下する使用位置と天板の下面にほぼ重合する収納位置との間で位置変更可能に支持させるにあたり、前記幕板が、枠体状をなすフレームと、このフレームに覆い被せた張り地とを備え、前記幕板支持装置が、幕板の縦フレーム部に固定され一部に軸部を形成した可動軸受部材と、この可動軸受部材の軸部を回転可能に支持する軸受け部を有した固定軸受部材とから構成されて、この固定軸受部材を天板の下面に取り付けて構成したことを特徴とするテーブル。
【請求項５】
幕板を収納位置から使用位置に移動させるに伴って、幕板の上端と天板の下面との距離が縮まるように構成されている請求項１〜４の何れかに記載のテーブル。
【請求項６】
天板の下方に幕板支持装置を取り付け、この幕板支持装置に幕板を、天板の縁部近傍より下方に垂下する使用位置と天板の下面にほぼ重合する収納位置との間で位置変更可能に支持させるにあたり、前記幕板を収納位置から使用位置に移動させるに伴って、幕板の上端と天板の下面との距離が縮まるように構成したことを特徴とするテーブル。
【請求項７】
天板が脚支柱に支持されるものにおいて、一対の脚支柱の内法寸法よりも幅狭な幕板を、使用位置でそれらの脚支柱の対向間隙に位置づけて支持するようにしている請求項６記載のテーブル。
【請求項８】
幕板支持装置が、幕板の上端に下向きの外力を受けた際に当該幕板に対する支持位置を天板から下方へ離れる方向に変化させるように構成されている請求項５〜７の何れかに記載のテーブル。
【請求項９】
天板の下方に幕板支持装置を取り付け、この幕板支持装置に幕板を、天板の縁部近傍より下方に垂下する使用位置と天板の下面にほぼ重合する収納位置との間で位置変更可能に支持させるにあたり、前記幕板を収納位置から使用位置に移動させるに伴って、幕板の上端が天板の縁部の外方隣接位置に持ち出されるように構成したことを特徴とするテーブル。
【請求項１０】
幕板支持装置が、幕板の上端に外向きの外力を受けた際に当該幕板に対する支持位置を天板から外側へ離れる方向に変化させるように構成されている請求項９記載のテーブル。
【請求項１１】
幕板支持装置が、幕板を少なくとも使用位置または収納位置に仮保持する係り合い部を有し、外力が作用した際にその係り合い部を支点にして、幕板に対する支持位置を更に使用位置よりも外側または収納位置よりも上方に変化させ得るように構成されている請求項５〜１０の何れかに記載のテーブル。
【請求項１２】
外力が消失した際に幕板を前記変化前の支持位置に復帰させ得るように構成している請求項８，１０，１１の何れかに記載のテーブル。
【請求項１３】
幕板支持装置の一部が外力を受けたときに弾性変形し、外力が消失したときに元の状態に弾性復元するように構成されている請求項１２記載のテーブル。
【請求項１４】
幕板支持装置の一部が外力を受けたときに変形し、操作力を加えることによって元の状態に復帰するように構成されている請求項１２又は１３記載のテーブル。
【発明の詳細な説明】
【技術分野】
【０００１】
本発明は、天板が固定であるテーブルに係り、特に幕板を適切に出し入れ可能としたテーブルに関するものである。
【背景技術】
【０００２】
従来の幕板を備えたテーブルのうち、会議テーブル等に用いられるいわゆるフラップテーブルは、収納時に天板を起立させるとともに、その起立動作に伴って幕板を天板に重合する位置に移動させ、折り畳み姿勢でテーブル同士を水平方向に極力近づけて収納するいわゆる水平スタックを実現できるように構成されているものが多い（例えば特許文献１等参照）。
【先行技術文献】
【特許文献】
【０００３】
【特許文献１】特開２００１−２３８７３２号公報
【発明の概要】
【発明が解決しようとする課題】
【０００４】
ところで、フラップテーブル以外にも、左右の脚側板で天板を支持するとともに脚側板の後端側を幕板で連結した執務専用のデスク等は一般に広く知られている。幕板は、天板の下肢空間を隠蔽することを目的とするものであり、このようなデスク等は天板が固定であるため、幕板は所定位置に常設される。
【０００５】
しかしながら、例えば天板の下面が脚支柱に支持されるタイプの比較的簡素なテーブルにおいて、幕板を利用できるようにしたものは、出願人の知る限りにおいては従来ない。
【０００６】
この種のテーブルにおいても、必要に応じて縁部の下方に幕板を配置することができれば、一人用の執務机等として使用するデスク的な利用の形態も可能になり、比較的簡易なテーブルであってもその機能を有効に高められる可能性がある。
【０００７】
しかしながら、フラップテーブルのように可動部分が存するわけではなく、デスクのように左右に安定した脚側板が存するわけでもないので、テーブルの基本的な機能を損なわずに幕板を出し入れするための新たな構造が必要になる。
【０００８】
本発明は、このような着想に基づき、比較的簡易なテーブル等に好適に適用できて、幕板をテーブルに適切に付帯させることにより従来にない使い勝手を実現した新規有用なテーブルを提供することを目的としている。
【課題を解決するための手段】
【０００９】
本発明は、かかる目的を達成するために、次のような手段を講じたものである。
【００１０】
すなわち、本願における第１の発明のテーブルは、天板が脚支柱に支持されるものにおいて、天板の下方に幕板支持装置を取り付け、この幕板支持装置に一対の脚支柱の内法寸法よりも幅広な幕板を、天板の縁部近傍より下方に垂下する使用位置と天板の下面にほぼ重合する収納位置との間で位置変更可能に支持させるにあたり、前記幕板を使用位置で前記一対の脚支柱の対向間隙よりも下肢空間側に位置づけるようにしたことを特徴とする。ここに言うほぼ重合とは、幕板が天板の下面に当接ないし近接している必要は必ずしもなく、ある程度離間した位置において幕板の面と天板の下面がほぼ平行となるように収納される態様も含まれる。
【００１１】
このように構成すれば、天板の外観に影響を及ぼさずに、幕板を、下肢空間を遮蔽する使用位置と下肢空間から上方へ退避する収納位置との間でテーブルに付帯させたままで出し入れすることができる。したがって、複数人用のミーティングテーブルとしても一人用の執務机としても利用できる簡易なテーブルを提供することが可能となる。さらに、天板が脚支柱に支持されるものにおいて、一対の脚支柱の内法寸法よりも幅広な幕板を、使用位置でそれらの脚支柱の対向間隙よりも下肢空間側に位置づけて支持するようにしていることから、下肢空間に対する遮蔽効果を得ることができる。
【００１２】
本願における第２の発明のテーブルは、天板が脚支柱に支持されるものにおいて、天板の下方に幕板支持装置を取り付け、この幕板支持装置に幕板を、天板の縁部近傍より下方に垂下する使用位置と天板の下面にほぼ重合する収納位置との間で位置変更可能に支持させるにあたり、前記幕板のうち一対の脚支柱の内法寸法よりも幅狭な本体部を、使用位置でそれらの脚支柱の対向間隙に位置づけて支持し、前記本体部の外側に連続する縁部を、それらの脚支柱の外方または内方に回り込んだ部位に位置づけるようにしたことを特徴とする。このように構成すれば、天板の外観に影響を及ぼさずに、幕板を、下肢空間を遮蔽する使用位置と下肢空間から上方へ退避する収納位置との間でテーブルに付帯させたままで出し入れすることができる。したがって、複数人用のミーティングテーブルとしても一人用の執務机としても利用できる簡易なテーブルを提供することが可能となる。さらに、天板が脚支柱に支持されるものにおいて、幕板のうち一対の脚支柱の内法寸法よりも幅狭な本体部を、使用位置でそれらの脚支柱の対向間隙に位置づけて支持し、前記本体部の外側に連続する縁部を、それらの脚支柱の外方または内方に回り込んだ部位に位置づけるようにしていることから、下肢空間の確保と当該下肢空間に対する遮蔽効果とを両立させることができる。
【００１３】
この場合、例えば使用位置にある幕板が脚支柱を隠蔽するような位置に持ち出すことを可能にするためには、縁部が本体部に対して弾性変形可能に構成され、幕板が使用位置に移動する際に弾性変形しながら脚支柱に密着するように構成しておくことが好ましい。
【００１４】
本願における第３の発明のテーブルは、天板の下方に幕板支持装置を取り付け、この幕板支持装置に幕板を、天板の縁部近傍より下方に垂下する使用位置と天板の下面にほぼ重合する収納位置との間で位置変更可能に支持させるにあたり、前記幕板が、枠体状をなすフレームと、このフレームに覆い被せた張り地とを備え、前記幕板支持装置が、幕板の縦フレーム部に固定され一部に軸部を形成した可動軸受部材と、この可動軸受部材の軸部を回転可能に支持する軸受け部を有した固定軸受部材とから構成されて、この固定軸受部材を天板の下面に取り付けて構成したことを特徴とする。このように構成すれば、天板の外観に影響を及ぼさずに、幕板を、下肢空間を遮蔽する使用位置と下肢空間から上方へ退避する収納位置との間でテーブルに付帯させたままで出し入れすることができる。したがって、複数人用のミーティングテーブルとしても一人用の執務机としても利用できる簡易なテーブルを提供することが可能となる。さらに、軽量な幕板を可動軸受部材を構成する縦フレーム部に対して適切な遮蔽効果を奏する適宜の高さ位置に取り付けて、固定軸受部材に簡易に支持させることが可能となる。
【００１５】
幕板を使用位置に支持したときの見栄えを良好に保つためには、幕板を収納位置から使用位置に移動させるに伴って、幕板の上端と天板の下面との距離が縮まるように構成しておくことが効果的である。
【００１６】
本願における第４の発明のテーブルは、天板の下方に幕板支持装置を取り付け、この幕板支持装置に幕板を、天板の縁部近傍より下方に垂下する使用位置と天板の下面にほぼ重合する収納位置との間で位置変更可能に支持させるにあたり、前記幕板を収納位置から使用位置に移動させるに伴って、幕板の上端と天板の下面との距離が縮まるように構成したことを特徴とする。このように構成すれば、天板の外観に影響を及ぼさずに、幕板を、下肢空間を遮蔽する使用位置と下肢空間から上方へ退避する収納位置との間でテーブルに付帯させたままで出し入れすることができる。したがって、複数人用のミーティングテーブルとしても一人用の執務机としても利用できる簡易なテーブルを提供することが可能となる。さらに、幕板を収納位置から使用位置に移動させるに伴って、幕板の上端と天板の下面との距離が縮まるように構成していることから、幕板を使用位置に支持したときの見栄えを良好に保つことができる。
【００１７】
端正な外観と十分な下肢空間の確保とを両立させるためには、天板が脚支柱に支持されるものにおいて、一対の脚支柱の内法寸法よりも幅狭な幕板を、使用位置でそれらの脚支柱の対向間隙に位置づけて支持するようにしていることが望ましい。
【００１８】
幕板の上端と天板の下面との隙間に利用者の衣類や携帯品、指手など幕板支持装置とは無関係な物（以下、異物と称する）が挟まること等を防止するためには、幕板支持装置が、幕板の上端に下向きの外力を受けた際に当該幕板に対する支持位置を天板から下方へ離れる方向に変化させるように構成されていることが望ましい。
【００１９】
本願における第５の発明のテーブルは、天板の下方に幕板支持装置を取り付け、この幕板支持装置に幕板を、天板の縁部近傍より下方に垂下する使用位置と天板の下面にほぼ重合する収納位置との間で位置変更可能に支持させるにあたり、前記幕板を収納位置から使用位置に移動させるに伴って、幕板の上端が天板の縁部の外方隣接位置に持ち出されるように構成したことを特徴とする。このように構成すれば、天板の外観に影響を及ぼさずに、幕板を、下肢空間を遮蔽する使用位置と下肢空間から上方へ退避する収納位置との間でテーブルに付帯させたままで出し入れすることができる。したがって、複数人用のミーティングテーブルとしても一人用の執務机としても利用できる簡易なテーブルを提供することが可能となる。さらに、幕板を収納位置から使用位置に移動させるに伴って、幕板の上端が天板の縁部の外方隣接位置に持ち出されるように構成していることから、幕板を昇降させるような構造を付加するなど更なる幕板の機能向上を図ることもできる。
【００２０】
この場合にも、幕板の上端と天板の縁部との隙間に異物が挟まること等を防止するためには、幕板支持装置が、幕板の上端に外向きの外力を受けた際に当該幕板に対する支持位置を天板から外側へ離れる方向に変化させるように構成されていることが望ましい。
【００２１】
幕板が使用位置や収納位置で衝撃を受けた際の緩衝効果のためには、幕板支持装置が、幕板を少なくとも使用位置または収納位置に仮保持する係り合い部を有し、外力が作用した際にその係り合い部を支点にして、幕板に対する支持位置を更に使用位置よりも外側または収納位置よりも上方に変化させ得るように構成されていることが好都合である。
【００２２】
外力を受けた後の通常使用状態を確保するためには、外力が消失した際に幕板を前記変化前の支持位置に復帰させ得るように構成されていることが望ましい。
【００２３】
特に、自動復帰機能を付与するためには、幕板支持装置の一部が外力を受けたときに弾性変形し、外力が消失したときに元の状態に弾性復元する構造を採用することが好適である。
【００２４】
勿論、幕板支持装置の一部が外力を受けたときに変形し、操作力を加えることによって元の状態に復帰するように構成しても、位置変更可能な支持機能を維持する上で有効となる。
【発明の効果】
【００２５】
本発明は、以上説明した構成であるから、天板が脚支柱に支持されて下肢空間が四方に開放されているような比較的簡易なテーブル等に好適に適用できて、幕板をテーブルに、下肢空間を遮蔽する使用位置と下肢空間を隠蔽する収納位置との間で切り換え可能に付帯させて、ミーティングテーブル等としての利用の形態と、一人用の執務机等としての利用の形態とを選択できるようにした、従来にない使い勝手を有した新規有用なテーブルを提供することが可能となる。
【図面の簡単な説明】
【００２６】
【図１】本発明の一実施形態を適用したテーブルを、幕板が使用位置にある状態で示す斜視図。
【図２】同テーブルの部分正面図。
【図３】同幕板を支持する軸受装置の分解斜視図。
【図４】同軸受装置の作用を説明するための図。
【図５】同テーブルを、幕板が収納位置にある状態で示す斜視図。
【図６】同軸受装置の図４とは異なる作用を説明するための図。
【図７】同軸受装置の上記以外の作用を説明するための図。
【図８】本発明の変形例に係る幕板と脚支柱との関係を示す模式図。
【図９】本発明の他の変形例に係る幕板と脚支柱との関係を示す模式図
【図１０】本発明の上記以外の変形例に係る幕板と脚支柱との関係を示す模式図
【図１１】本発明の更に上記以外の変形例に係る幕板と脚支柱との関係を示す模式図
【発明を実施するための形態】
【００２７】
以下、本発明の一実施形態を、図面を参照して説明する。
【００２８】
図１は、本実施形態を適用したテーブルＴを示している。このテーブルＴは、脚支柱１に支持された天板２を支持体として、この天板２の下方に幕板支持装置である軸受装置３を配し、この軸受装置３によって回転部材である幕板４を、図１に示す使用位置Ｐと図５に示す収納位置Ｑとの間で姿勢変更可能に支持するようにしたものである。図１及び図２において幕板４の張り地４２を一部破砕して示し、図５において同張り地４２は省略している。
【００２９】
具体的に説明すると、テーブルＴは、略正方形状をなす天板２の四隅下面に脚受けブラケット２１を取り付けたもので、各脚支柱１の上端は脚受けブラケット２１に固定され、脚受けブラケット２１を介して天板２に連結されている。脚支柱１は下端にキャスタ１１を備えた概略棒状をなし、計４箇所で床上に自立可能に接地して天板２を移動可能に支持するもので、脚側板のような大掛かりな脚構造を備えず、下肢空間Ｓが脚支柱１、１間から四方に開放された状態で天板２を水平に保持している。
【００３０】
幕板４は、図２及び図３に示すように、パイプ部材を接続してパイプ枠としたフレーム４１と、このフレーム４１全体を包むように覆い被せたメッシュ等により構成される袋状の張り地４２とを備えたもので、幕板４の幅寸法ｗ１は図１及び図２に示すように前記脚支柱１、１間の内法寸法ｗ２よりもやや小さい値に設定され、上下寸法ｈ１は天板２の下肢空間Ｓの所要範囲を目隠しする寸法に設定されている。
【００３１】
軸受装置３は、図２及び図３に示すように、幕板４のフレーム４１を構成する左右の縦フレーム部４１ａに固定される一対の可動軸受部材３ａと、天板２の隣接する二隅の下方に固定される一対の固定軸受部材３ｂとから構成される。
【００３２】
可動軸受部材３ａは、板状の立壁部３１を主体とし、この立壁部３１の先端に幕板４のフレーム４１を構成する縦フレーム部４１ａを固定するための部分円筒状の凹溝３２ａを有する幕板取付部３２を一体的に設けた樹脂製のもので、立壁３１の側面に外方に向けて回転中心となる軸部３３を突設するとともに、その長手方向両側に列をなすようにして軸状をなす一対の突起３４ａ、３４ｂを設けている。この実施形態では、軸部３３はややテーパ状のものであるが、所要の動作が確保されれば、単なる円柱状のものでも勿論構わない。そして、左右の可動軸受部材３ａの幕板取付部３２に設けた凹溝３２ａに幕板４の縦フレーム部４１のうち上フレーム部４１ｂからやや下方に下がった部位を嵌め込んで図示しないビスにより固定している。
【００３３】
固定軸受部材３ｂは、板状の立壁部３５を主体とし、この立壁部３５の上端に脚受けブラケット２１への取付部３０を設けた樹脂製のもので、立壁部３５，３５同士を左右に対面させた状態で天板２から下方に垂下するように前記脚受けブラケット２１の下面にビス等により取り付けられる。立壁部３５の一部には軸受け部３６が形成され、この軸受け部３６は、前記軸部３３に対応する位置に軸孔３６ａを有している。
【００３４】
また、立壁部３５のうち前記軸孔３６ａから異なる方向に変位した２箇所には、天板２から略水平外方に向かって開口する第１の係り合い部３５ａと、天板２から略鉛直下方に向かって開口する第２の係り合い部３５ｂとが設けてある。
【００３５】
そして、図２及び図３に示すように、左右の可動軸受部材３ａの立壁部３１を各々対応する固定軸受部材３ｂの立壁部３５の内側に重合させ、その際に前者の立壁部３１の外面に突出する軸部３３を後者の立壁部３５に設けた軸孔３５ａに回転可能に嵌め合わせることによって、幕板４を軸部３３を中心に回転可能に保持している。その際、一方の突起３４ａが図４（ａ）に示すように第１の係り合い部３５ａに弾性的に係り合った状態で、幕板４が天板２の縁部近傍より下方に垂下する状態で保持され、他方の突起３４ｂが図４（ｃ）に示す第２の係り合い部３５ｂに弾性的に係り合った状態で、幕板４が天板２の下面２にほぼ重合する収納位置Ｑに保持され、その間において幕板４の位置変更を可能としている。図１に示すように、使用位置Ｐにある幕板４は一対の脚支柱１，１の対向間隙δにあって、幕板４の面の延長上に脚支柱１が位置する関係に設定されている。幕板４は、上フレーム部４１ｂよりもやや中央よりに前記軸部３３による回転支点を設定されているため、幕板４を図４（ｃ）に示す収納位置Ｑから図４（ａ）に示す使用位置Ｐに移動させるに伴って、幕板４の上端４ａと天板２の下面２ｂとの距離が次第に縮まる挙動をなす。
【００３６】
ここで、前記軸受け部３６の詳細な構造について説明する。軸受け部３６は、前述した軸孔３６ａのほかに、この軸孔３６ａの開口端に連続する位置に放射方向に所定角度で図３及び図６（ａ）に示すようなテーパ状のガイド面３６ｂを有するもので、ガイド面３６ｂの縁部には軸孔３６ａを包囲するように規制部たる壁３６ｃが突設され、この壁３６ｃの一部に軸孔３６ａと直交する方向に軸部３３を通過させるための切欠３６ｄが形成されている。
【００３７】
可動軸受部材３ａの軸部３３は、予め所定の軸方向寸法ｄ１に設定され、軸部３３を固定軸受部材３ｂの軸孔３６ａに所定寸法ｄ２だけ飲み込ませることによって嵌り合う関係に設定されている。軸孔３６ａの周囲のガイド面３６ｂは、固定軸受部材３ｂの他の板状部に比べて薄肉とされ、図６（ｂ）に示すようにガイド面３６ｂと略直交する方向に外力Ｆが加わると、左右のガイド面３６ｂ、３６ｂ間が開く方向に弾性変形を引き起こすように構成されている。
【００３８】
すなわち、可動軸受部材３ａの軸部３３を固定軸受部材３ｂの軸孔３６ａに嵌め合わせて幕板４を回転可能に支持した状態で、軸部３３は所定の保持力で軸孔３６ａに回転可能に保持されるが、軸部３３と略直交する方向に外力Ｆが加わり、それが前記保持力を超えた場合に、軸部３３が軸受け部３６の中心すなわち軸孔３６ａから外れるように構成してある。既に述べたように、軸孔３６ａの開口端はガイド面３６ｂに連続しているため、軸孔３６ａを外れた軸部３３はガイド面３６ｂに乗り上げ、軸部３３が軸受け部の中心である軸孔３６ａから外れる方向に変位している間はガイド面３６ｂは傾斜角を変化させて弾性変形した状態を保つ。したがって、外力が消失ないし減退すると、その後にガイド面３６ｂが図６（ｂ）→（ａ）に示すように弾性復元するに伴い、軸部３３が軸受け部３６の中央に位置する軸孔３６ａに向かってガイド面３６ｂに沿って押し返されて軸孔３６ａに再び嵌る位置に復帰することとなる。
【００３９】
このように、ガイド面３６ｂは、軸部３３の変位若しくは復帰を誘導するガイド部としての役割と、軸部３３が変位している間は当該軸３３部が復帰する方向の弾性力を蓄積した状態を保つ反力部としての役割を担っている。
【００４０】
以上のような構成であるから、軸受装置３は、幕板４が図４（ａ）に示す使用位置Ｐにあるときに上端４ａに下向きの外力を受けると、当該幕板４に対する支持位置を図６（ａ）→（ｂ）に示すように天板２から下方へ離れる方向に変化させる。
【００４１】
また、軸受装置３は、幕板４が図４（ａ）に示す使用位置Ｐにあるときに下肢空間Ｓ側から外側への外力が作用した場合に、図７（ａ）に示すように第１の係り合い部３５ａに係り合った突起３４ａを支点に支軸３３が図６（ｂ）に示すガイド面３６ｂの弾性変形とともに軸孔３６ａから外れる方向に変位して、幕板４に対する支持位置を使用位置Ｐよりも外側に変化させる。
【００４２】
同様に、軸受装置３は、幕板４が図４（ｃ）に示す収納位置Ｑにあるときに下肢空間Ｓ側から上に突き上げるような外力が作用した場合に、図７（ｂ）に示すように第２の係り合い部３５ｂに係り合った突起３４ｂを支点に支軸３３が図６（ｂ）に示すガイド面３６ｂの弾性変形とともに軸孔３６ａから外れる方向に変位して、幕板４に対する支持位置を収納位置Ｑよりも上方に変化させる。
【００４３】
但し、何れの場合にも、軸部３３の外周面と軸孔３６ａの内周面とが緊密に嵌り合うような関係にすることで、前記保持力を有効な値に設定でき、これらが嵌り合った状態で軸部３３にこじるような斜め方向の力が働かない限り、軸部３３が軸孔３６ａから容易に外れることが防止される。
【００４４】
そして、何れの場合にも、外力が消失した際には、ガイド面３６ｂの弾性復元動作を通じて幕板４を前記変化前の使用位置Ｐもしくは収納位置Ｑに復帰させることとなる。
【００４５】
このような弾性変形を許容する軸受構造は、軽量な回転部材を支持するのに特に適しており、一例として、本実施形態のように細径のパイプ枠に袋状のメッシュ等からなる張り地を被せた軽量構造の幕板との組合せ等において特に効果を発揮する。
【００４６】
以上のように、本実施形態のテーブルＴは、天板２の下方に幕板支持装置たる軸受装置３を取り付け、この軸受装置３に幕板４を、天板２の縁部２ａの近傍より下方に垂下する使用位置Ｐと天板２の下面２ｂにほぼ重合する収納位置Ｑとの間で位置変更可能に支持させたものである。
【００４７】
このため、天板２の外観に影響を及ぼさずに、幕板４を、下肢空間Ｓを遮蔽する使用位置Ｐと下肢空間Ｓから上方へ退避する収納位置Ｑとの間でテーブルＴに付帯させたままで出し入れすることができ、複数人用のミーティングテーブルとしても一人用の執務机としても利用できる簡易で多機能のテーブルとして利用に供することができる。
【００４８】
具体的にこのテーブルＴは、天板２が脚支柱１に支持される構造をなし、一対の脚支柱１，１の内法寸法ｗ２よりも幅狭な寸法ｗ１に設定された幕板４を、使用位置Ｐでそれらの脚支柱１，１の対向間隙δに位置づけて支持するようにしており、脚支柱１が幕板４の面の延長上に位置するので、脚支柱１，１間が端正に塞がれて外観が良好となり、天板２の下にも極力広い下肢空間Ｓを確保することができる。
【００４９】
また、幕板４を収納位置Ｑから使用位置Ｐに移動させるに伴って、幕板４の上端４ａと天板２の下面２ｂとの距離が縮まるように構成しているので、幕板４を図４（ａ）に示す使用位置Ｐに支持したときに天板２の下面２ｂとの間に極力隙間が生じないように構成することができる。
【００５０】
この場合、幕板支持装置たる軸受装置３は、幕板４の上端４ａに下向きの外力を受けた際に当該幕板４に対する支持位置を図６（ａ）→（ｂ）に示すように天板２から下方へ離れる方向に変化させるように構成しているので、幕板４の上端４ａと天板２の下面２ｂとの隙間に異物が挟まったときに幕板４が下方へ逃げて、異物に大きな力が作用することを適切に回避することができる。
【００５１】
同様に、幕板支持装置たる軸受装置３は、幕板４を使用位置Ｐまたは収納位置Ｑに仮保持する第１、第２の係り合い部３５ａ、３５ｂを有し、外力が作用した際にそれらの係り合い部３５ａ、３５ｂを支点にして、幕板４に対する支持位置を更に図７（ａ）に示すように使用位置Ｐよりも外側に、または図７（ｂ）に示すように収納位置Ｑよりも上方に変化させ得るように構成しているので、幕板４が使用位置Ｐで内側から押し開ける方向の衝撃を受けたり、収納位置Ｑで突き上げる方向の衝撃を受けた場合における緩衝効果が得られ、幕板支持装置である軸受装置３の損傷や破損も有効に防止することができる。
【００５２】
そして、図６（ｂ）、図７（ａ）、図７（ｂ）の何れの場合にも、外力が消失した際に幕板４を前記変化前の支持位置に復帰させ得るようにしているので、一時的な退避動作の後に通常使用状態を有効に確保することができる。
【００５３】
具体的には、幕板支持装置である軸受装置３の一部が外力を受けたときに弾性変形し、外力が消失したときに元の状態に弾性復元するように構成しており、軸受装置３それ自体にこのような変形を引き起こすことで、極めて簡素な構成で復帰動作を実現することができる。
【００５４】
勿論、幕板４が少々重く、軸受け部３６の中心から変位した軸部３３がそのままでは再び中心に復帰し得ないような場合にも、操作力を加えれば復帰が可能であるので、自動的な弾性復元の機能が発揮されない場合にも本発明の基本的な作用効果を奏する点に変わりはない。
【００５５】
さらにまた、幕板４が、枠体状をなすフレーム４１と、このフレーム４１に覆い被せた張り地４２とを備え、幕板支持装置である軸受装置３が、幕板４の縦フレーム部４１ａに固定され一部に軸部３３を形成した可動軸受部材３ａと、この可動軸受部材３ａの軸部３３を回転可能に支持する軸受け部３６を有した固定軸受部材３ｂとから構成されて、この固定軸受部材３ｂを天板２の下方に取り付けて構成しているので、軽量な幕板４を可動軸受部材３ａを構成する縦フレーム部４１ａに対して適切な遮蔽効果を奏する適宜の高さ位置に取り付けて、固定軸受部材３ｂに簡易に支持させることが可能となる。
【００５６】
なお、各部の具体的な構成は、上述した実施形態のみに限定されるものではない。
【００５７】
例えば、図１に示した天板２が脚支柱１に支持される構造と同様の構造において、図８に示すように一対の脚支柱１０１，１０１の内法寸法ｗ１１よりも幅広な幅寸法ｗ１２の幕板１０４を、使用位置Ｐでそれらの脚支柱１０１，１０１の対向間隙δよりも下肢空間Ｓ側に位置づけて支持するように構成してもよい。このようにすれば、幕板１０４の左右の縁部１０４ｃと脚支柱１０１との間に隙間が生じることを防止して、下肢空間Ｓに対する遮蔽効果を高めることができる。
【００５８】
或いは、図１に示した天板２が脚支柱１に支持される構造と同様の構造において、図９に示すように幕板２０４のうち一対の脚支柱２０１，２０１の内法寸法ｗ２１よりも幅狭な幅寸法ｗ２２の本体部２４１を、使用位置Ｐでそれらの脚支柱２０１，２０１の対向間隙に位置づけて支持し、その本体部２４１の外側に連続する縁部２４２を、それらの脚支柱２０１，２０１の内方に回り込んだ部位に位置づけるように構成することもできる。このようにすれば、下肢空間Ｓを狭めることなく、当該下肢空間Ｓに対する遮蔽効果を有効に高めることができる。勿論、縁部２４２は脚支柱２０１，２０１の外側に回り込んだ部位に位置づけるように構成することも可能である。
【００５９】
特に後者の場合には、図１０に示すように、縁部２４２を本体部２４１に対して弾性変形可能に構成して、幕板２０４が収納位置Ｑから使用位置Ｐに移動する際に弾性変形しながら脚支柱２０１の外側に回り込んだ位置に密着させることができるため、幕板２０４と脚支柱２０１との干渉を回避しながら、幕板２０４によって脚支柱２０１をも適切に隠蔽することができるようになる。
【００６０】
また、図１１に示すように、幕板３０１を同図（ｃ）に示す収納位置Ｑから同図（ａ）に示す使用位置Ｐに移動させるに伴って、幕板３０１の上端３０１ａが天板３０２の縁部３０２ａの外方隣接位置に持ち出されるように構成してもよい。この位置に幕板３０１を持ち出せば、引き続き幕板３０１を同図（ａ）に想像線で示すごとく昇降させるような構造も容易に付加することができるようになる。
【００６１】
この場合、図１１においては省略するが、幕板支持装置として上記実施形態と同様の軸受装置３を用いれば、使用位置Ｐ等にある幕板３０１の上端３０１ａに外向きの外力を受けた際に当該幕板３０１に対する支持位置を同図（ａ）に想像線で示すごとく天板３０２から外側へ離れる方向に変化させることができるので、幕板３０１の上端３０１ａと天板３０２の縁部３０２ａとの隙間に異物が挟まったときに幕板３０１が逃げて、異物に大きな力が作用することを回避することができる。
【００６２】
さらにまた、上記何れの場合においても、幕板支持装置である軸受装置３等は、天板２の下面２ｂに直接取り付ける以外に、天板２の下方ではあるが左右の脚支柱１に取り付ける態様も含まれ、また、幕板支持装置の構造は必ずしも軸と軸受けの関係に限られない。
【００６３】
また、例えば上記実施形態においてガイド部であるガイド面がテーパ状をなしておらず、周囲に規制部が設けてあるような構造を採用した場合、軸受け部の中心から変位した軸部はそのままでは軸受け部の中心に復帰できないが、操作力を加えれば復帰が可能になるので、位置変更可能な支持機能に継続性が確保される点では上記実施形態に準ずる作用効果が奏される。
【００６４】
その他の構成も、本発明の趣旨を逸脱しない範囲で種々変形が可能である。
【符号の説明】
【００６５】
１…脚支柱
２…天板
２ａ…縁部
２ｂ…下面
３…幕板支持装置（軸受装置）
３ａ…可動軸受部材
３ｂ…固定軸受部材
４…幕板
４ａ…上端
３３…軸部
３５ａ…第１の係り合い部
３５ｂ…第２の係り合い部
３６…軸受け部
４１…フレーム
４１ａ…縦フレーム部
４２…張り地
１０１…脚支柱
１０４…幕板
２０１…脚支柱
２０４…幕板
２４１…本体部
２４２…縁部
３０１…幕板
３０１ａ…上端
３０２ａ…縁部
Ｐ…使用位置
Ｑ…収納位置
Ｓ…下肢空間
Ｔ…テーブル
ｗ１…幕板の寸法
ｗ２…内法寸法
δ…対向間隙
【図１】
0005510917.tif 000002
【図２】
0005510917.tif 000003
【図３】
0005510917.tif 000004
【図４】
0005510917.tif 000005
【図５】
0005510917.tif 000006
【図６】
0005510917.tif 000007
【図７】
0005510917.tif 000008
【図８】
0005510917.tif 000009
【図９】
0005510917.tif 000010
【図１０】
0005510917.tif 000011
【図１１】
0005510917.tif 000012